Podtech/llm-jp-corpus-v4-ja_patent huggingface dataset:
【手続補正書】
【提出日】平成21年2月18日(2009.2.18)
【手続補正１】
【補正対象書類名】特許請求の範囲
【補正対象項目名】全文
【補正方法】変更
【補正の内容】
【特許請求の範囲】
【請求項１】
熱可塑性樹脂と核剤とを含む熱可塑性ポリマー組成物であって、該組成物が以下の特性からなる群より選択される特性のうち少なくとも一つを有する、前記組成物：
ＡＡＣＨＥＮテストに従って測定されたＭＴ４値約０．１２５未満、及びＣＴ４値約０．１未満；
表面粘着性消失時間約１時間未満；
充分な剛性時間約７５時間未満；
着火時間約１３秒超；または
自己消火時間約６０秒未満。
【請求項２】
請求項１に記載の熱可塑性ポリマー組成物であって、該組成物が、以下の特性からなる群より選択される特性のうち少なくとも二つを有する、前記組成物：
ＡＡＣＨＥＮテストに従って測定されたＭＴ４値約０．１２５未満、及びＣＴ４値約０．１未満；
表面粘着性消失時間約１時間未満；
充分な剛性時間約７５時間未満；
着火時間約１３秒超；または
自己消火時間約６０秒未満。
【請求項３】
請求項１に記載の熱可塑性ポリマー組成物であって、以下の特性からなる群より選択される特性のうち少なくとも三つを有する、前記組成物：
ＡＡＣＨＥＮテストに従って測定されたＭＴ４値約０．１２５未満、及びＣＴ４値約０．１未満；
表面粘着性消失時間約１時間未満；
充分な剛性時間約７５時間未満；
着火時間約１３秒超；または
自己消火時間約６０秒未満。
【請求項４】
熱可塑性樹脂と核剤とを含む熱可塑性ポリマー組成物であって、該組成物が、以下の特性：
ＡＡＣＨＥＮテストに従って測定されたＭＴ４値約０．１２５未満、及びＣＴ４値約０．１未満；
表面粘着性消失時間約１時間未満；
充分な剛性時間約７５時間未満；
着火時間約１３秒超；及び
自己消火時間約６０秒未満
を有する、前記組成物。
【請求項５】
該核剤がシリカ含有核剤である、請求項１に記載の熱可塑性ポリマー組成物。
【請求項６】
該シリカ含有核剤が、粉末ガラス、粉末砂、粉末水晶、粉末シリカ含有セラミック、及びこれらの混合物または組み合わせからなる群から選択される、請求項５に記載の組成物。
【請求項７】
該シリカ含有核剤が、約４０〜約２５０メッシュのメッシュサイズを有する、請求項５に記載の組成物。
【請求項８】
該シリカ含有核剤が、約５０〜約７０メッシュのメッシュサイズを有する、請求項５に記載の組成物。
【請求項９】
該シリカ含有核剤が、該熱可塑性ポリマー組成物の総重量に基づき約１０〜約７０重量％の量で存在する、請求項５に記載の組成物。
【請求項１０】
該シリカ含有核剤が、該熱可塑性ポリマー組成物の総重量に基づき約４０〜約６０重量％の量で存在する、請求項５に記載の組成物。
【請求項１１】
該シリカ含有核剤が、粉砕ガラス、粉末ガラス、破砕ガラス及びこれらの混合物または組み合わせからなる群から選択される、請求項５に記載の組成物。
【請求項１２】
該ガラス粉末が約６０メッシュ以下のメッシュサイズを有する、請求項１１に記載の組成物。
【請求項１３】
該熱可塑性ポリマー組成物が、３２５°Ｆで３００，０００センチポアズ未満の粘度を有する、請求項５に記載の組成物。
【請求項１４】
該熱可塑性ポリマー組成物が、３２５°Ｆで７５，０００センチポアズ未満の粘度を有する、請求項５に記載の組成物。
【請求項１５】
該熱可塑性樹脂が、ポリエチレンテレフタレート（ＰＥＴ）のエステル（修飾ポリマーを含んでいても良い）；ポリエチレンナフタレート（ＰＥＮ）のエステル（修飾ポリマーを含んでいても良い）；他のポリエステル材料；ポリエステル（全てのコポリマーを含む）；ポリアミド（全てのコポリマーを含む）；エチレンビニルアセテート；ポリエチレンコポリマー；ポリオレフィン；ポリスチレン；ポリスチレンブタジエン；アクリロニトリルブタジエンスチレン（全てのコポリマーを含む）；ポリ塩化ビニル；アクリル；スチレンマレイン酸アクリル；アセタール；フルオロポリマー（全てのコポリマーを含む）；ポリブチレン；ポリカーボネート；ポリイミド；ポリエーテルイミド；ポリスルホン；ポリエーテルスルホン；ポリビニリデンクロライド；シリコーン；及びこれらの混合物または組み合わせからなる群から選択される、請求項５に記載の組成物。
【請求項１６】
さらに分散剤を含む、請求項５に記載の組成物。
【請求項１７】
さらに難燃剤、充填剤、重量剤、酸化防止剤、抗菌剤、抗微生物剤、抗真菌剤、紫外線防止剤、及びこれらの混合物または組み合わせからなる群から選択される添加剤を含む、請求項５に記載の組成物。
【請求項１８】
請求項１に記載の組成物を含む、カーペット裏当材組成物。
【請求項１９】
請求項５に記載の組成物を含む、カーペット裏当材組成物。
【請求項２０】
請求項１に記載の組成物を含む、カーペットタイル。
【請求項２１】
請求項５に記載の組成物を含む、カーペットタイル。
【請求項２２】
熱可塑性樹脂とシリカ含有核剤とを混合する工程を含む、熱可塑性ポリマー組成物の製造方法であって、該シリカ含有核剤が、該熱可塑性ポリマー組成物の総重量に基づいて約１０〜約７０重量％の量で存在する、前記方法。
【請求項２３】
該シリカ含有核剤が、該熱可塑性ポリマー組成物の総重量に基づいて約４０〜約６０重量％の量で存在する、請求項２２に記載の方法。
【請求項２４】
請求項１８に記載のカーペット裏当材組成物を加熱し、該カーペット裏当材組成物を複数のカーペット裏当材ヤーン、カーペット布、又は不織布に塗布してカーペット裏当材を形成する工程を含む、カーペット裏当材の製造方法。
【手続補正書】
【提出日】平成21年5月18日(2009.5.18)
【手続補正１】
【補正対象書類名】特許請求の範囲
【補正対象項目名】全文
【補正方法】変更
【補正の内容】
【特許請求の範囲】
【請求項１】
水性フルオロポリマー組成物であって、
ａ）少なくとも５０モルパーセントのフルオロモノマーユニットを含むフルオロポリマー；
及び
ｂ）フルオロポリマー固体の重量に基いて１００ｐｐｍ〜０．１５パーセントの、２〜１００の反復ユニットを有するポリエチレングリコール及び／又はポリプロピレングリコールセグメントを有する少なくとも一種の乳化剤
を含み、しかも該組成物がフッ素化界面活性剤を含まない、水性フルオロポリマー組成物。
【請求項２】
フルオロポリマー固体の重量に基いて１００ｐｐｍ〜１パーセントの、ポリエチレングリコール及び／又はポリプロピレングリコールセグメントを有する少なくとも一種の乳化剤を含む、請求項１に記載のフルオロポリマー組成物。
【請求項３】
フルオロポリマー固体の重量に基いて１００ｐｐｍ〜１／２パーセントの、ポリエチレングリコール及び／又はポリプロピレングリコールセグメントを有する少なくとも一種の乳化剤を含む、請求項１又は２に記載のフルオロポリマー組成物。
【請求項４】
前記のフルオロポリマーが、少なくとも５０モルパーセントのビニリデンフルオリドモノマーユニットを含む、請求項１〜３のいずれかに記載のフルオロポリマー組成物。
【請求項５】
ポリエチレングリコール及び／又はポリプロピレングリコールセグメントを有する前記の乳化剤を、ポリエチレングリコールアクリレート、ポリエチレングリコール、ポリエチレングリコールフェノールオキシド、ポリプロピレングリコールアクリレート、ポリプロピレングリコール及びこれらの混合物よりなる群から選択する、請求項１〜４のいずれかに記載のフルオロポリマー組成物。
【請求項６】
前記の乳化剤が、３〜１００の反復ユニットを有するポリエチレングリコール及び／又はポリプロピレングリコールセグメントを有する、請求項１〜５のいずれかに記載のフルオロポリマー組成物。
【請求項７】
フルオロポリマーを製造する方法であって、少なくとも一種のフルオロモノマーを、２〜２００の反復ユニットを有するポリエチレングリコール及び／又はポリプロピレングリコールセグメントを含む非フッ素化、非イオン性乳化剤よりなる少なくとも一種の乳化剤を含む水性媒質中で重合させることを含む当該方法。
【請求項８】
前記の乳化剤が、フルオロポリマー固体の重量に基いて１００ｐｐｍ〜２パーセントで存在する、請求項７に記載の方法。
【請求項９】
前記ポリエチレングリコール及び／又はポリプロピレングリコールセグメントを有する少なくとも一種の乳化剤が、方法において、フルオロポリマー固体の重量に基いて１００ｐｐｍ〜１パーセントで存在する、請求項７又は８に記載の方法。
【請求項１０】
前記ポリエチレングリコール及び／又はポリプロピレングリコールセグメントを有する少なくとも一種の乳化剤が、方法において、フルオロポリマー固体の重量に基いて１００ｐｐｍ〜１／２パーセントで存在する、請求項７〜９のいずれかに記載の方法。
【請求項１１】
前記のフルオロポリマーが、少なくとも５０モルパーセントのビニリデンフルオリドモノマーユニットを含む、請求項７〜１０のいずれかに記載の方法。
【請求項１２】
前記の乳化剤を、ポリエチレングリコールアクリレート、ポリエチレングリコール、ポリエチレングリコールフェノールオキシド、ポリプロピレングリコールアクリレート及びポリプロピレングリコールよりなる群から選択する、請求項７〜１１のいずれかに記載の方法。
【請求項１３】
前記の方法が、非イオン性、フッ素化又は部分的にフッ素化された乳化剤を含まない、請求項７〜１２のいずれかに記載の方法。
【請求項１４】
前記の乳化剤が、３〜１００の反復ユニットを有するポリエチレングリコール及び／又はポリプロピレングリコールセグメントを含む、請求項７〜１３のいずれかに記載の方法。
【手続補正書】
【提出日】平成21年10月26日(2009.10.26)
【手続補正１】
【補正対象書類名】特許請求の範囲
【補正対象項目名】全文
【補正方法】変更
【補正の内容】
【特許請求の範囲】
【請求項１】
患者のための経口投与剤であって、
一日一回負荷量なしで投与されることで０．７〜１．３ｍｇ／ｋｇ／日の経口ミノサイクリンが前記患者に与えられる量の前記経口ミノサイクリン、及び製薬上適切な送達手段を含み、
胃液中の放出速度が、
１時間以内に２５〜５２％、２時間以内に５３〜８９％、４時間以内に少なくとも９０％、又は
１時間以内に３０〜５２％、２時間以内に５３〜８４％、４時間以内に少なくとも８５％、
となるように前記経口ミノサイクリンを負荷量なしで連続して徐放する経口投与製剤。
【請求項２】
前記０．７〜１．３ｍｇ／ｋｇ／日が、１．０ｍｇ／ｋｇ／日である請求項１記載の経口投与製剤。
【請求項３】
前記経口ミノサイクリンは、ミノサイクリン塩酸塩である請求項１記載の経口投与製剤。
【請求項４】
前記製薬上適切な送達手段が、顆粒内速溶性キャリア、顆粒外速溶性キャリア及び遅溶性キャリアを有する請求項１記載の経口投与製剤。
【請求項５】
前記経口ミノサイクリン、前記顆粒内速溶性キャリア及び前記遅溶性キャリアが遅溶性物質の顆粒を形成し、
前記顆粒内速溶性キャリアが、前記遅溶性物質の中に完全に被包又は封入又は被覆されている請求項４記載の経口投与製剤。
【請求項６】
前記遅溶性キャリアに対する前記顆粒外速溶性キャリアの質量比が、０．３〜０．５である請求項４記載の経口投与製剤。
【請求項７】
前記遅溶性キャリアに対する前記顆粒外速溶性キャリアの質量比が、０．３５〜０．４５である請求項４記載の経口投与製剤。
【請求項８】
前記質量比が、０．３６〜０．４０である請求項７記載の経口投与製剤。
【請求項９】
前記顆粒外速溶性キャリアが乳糖一水和物を含む請求項４記載の経口投与製剤。
【請求項１０】
前記顆粒内速溶性キャリア及び前記顆粒外速溶性キャリアが同じ化合物である請求項４記載の経口投与製剤。
【請求項１１】
前記遅溶性キャリアがヒドロキシプロピルメチルセルロースを含む請求項４記載の経口投与製剤。
【請求項１２】
前記遅溶性キャリアが、
前記経口投与製剤が１３５ｍｇの前記経口ミノサイクリンを含む場合には前記経口投与製剤中に２３．５重量％存在し、又は、
前記経口投与製剤が４５ｍｇの前記経口ミノサイクリンを含む場合には前記経口投与製剤中に２７．０重量％存在する請求項４記載の経口投与製剤。
【請求項１３】
前記経口投与製剤は、投与後３．０〜３．７５時間でＣｍａｘに達する速度で前記経口ミノサイクリンを放出するように製剤化された請求項１に記載の経口投与製剤。
【請求項１４】
投与後３．５時間で前記Ｃｍａｘに達する請求項１３に記載の経口投与製剤。
【請求項１５】
さらに、被覆体を含む請求項１記載の経口投与製剤。
【手続補正書】
【提出日】平成21年6月5日(2009.6.5)
【手続補正１】
【補正対象書類名】特許請求の範囲
【補正対象項目名】全文
【補正方法】変更
【補正の内容】
【特許請求の範囲】
【請求項１】
アミノアルキル基含有グアール誘導体を製造する方法であって、
a)水混和可能な非プロトン性溶媒と水とから成る混合物(スラリー)中にグアール又はグアール誘導体を分散し、そして
b)該グアール又はグアール誘導体を塩基でアルカリ化し、そして
c)続いて、アミノ基含有試薬によるエーテル化を行うことを特徴とする、アミノアルキル基含有グアール誘導体を製造する方法。
【請求項２】
該水混和可能な非プロトン性溶媒が、アセトン、メチルエチルケトン、ジメトキシエタンから成る群から選択される、請求項1に記載の方法。
【請求項３】
該アミノ基含有試薬が次の一般式の化合物：
X-(CH2)n-NR1R2
であり、上式中、
Xは、揮発性基であり、
nは、少なくとも2でなければならない整数であり、
該残基R1及びR2は、互いに独立して、C原子数1-24の、脂肪族、又は分枝状、又は環状のアルキル置換基又はアリール置換基、又はHを意味し、そして2つの残基R1及びR2は、窒素原子と一緒に環を形成することができる、請求項1又は2に記載の方法。
【請求項４】
該アミノ基含有試薬が、N-(2-クロロエチル)-N,N-ジイソプロピルアミン、N-(2-クロロエチル)-N,N-ジエチルアミン、又はN-(2-クロロエチル)-N,N-ジメチルアミン、又はこれらのアミンの塩酸塩から成る群から選択される、請求項3に記載の方法。
【請求項５】
該アミノ基含有試薬が、グアール又はグアール誘導体の無水糖1モルあたり0.1-3モルの量で使用される、請求項1〜4のいずれか1項に記載の方法。
【請求項６】
出発材料としてグアールエーテルが使用される、請求項1〜5のいずれか1項に記載の方法。
【請求項７】
アミノアルキル基含有グアール誘導体であって、
そのヒドロキシル基の一部が、次の一般式のジアルキルアミノアルキルエーテル基：
O-(CH2)n-NR1R2
(上式中、
Xは、揮発性基であり、
nは、少なくとも2でなければならない整数であり、
該残基R1及びR2は、互いに独立して、C原子数1-24の、脂肪族、又は分枝状、又は環状のアルキル置換基又はアリール置換基、又はHを意味し、そして2つの残基R1及びR2は、窒素原子と一緒に環を形成することができる)に変換されており、かつこれらのアミノアルキル基含有グアール誘導体が、シュタウディンガー指数＞900 mL/g、及びDS(N)＞0.3を有していることを特徴とする、アミノアルキル基含有グアール誘導体。
【請求項８】
請求項1〜6のいずれか1項に記載の方法に従って得られる、アミノアルキル基含有グアール誘導体。
【請求項９】
シュタウディンガー指数＞900 mL/g、及びDS(N)＞0.3を有している、請求項8に記載のアミノアルキル基含有グアール誘導体。
【請求項１０】
該アミノアルキル基が、少なくとも部分的に、四級化された形態で存在している、請求項7〜9のいずれか1項に記載のアミノアルキル基含有グアール誘導体。
【請求項１１】
ヘアコンディショナーを製造するための、請求項7〜10のいずれか1項に記載のアミノアルキル基含有グアール誘導体の使用。
【請求項１２】
凝集補助剤を製造するための、請求項7〜10のいずれか1項に記載のアミノアルキル基含有グアール誘導体の使用。
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
発光ダイオードアセンブリの熱伝導性構成部品であって、該構成部品は、
（ａ）１５〜７０重量％の半芳香族ポリアミドと、
（ｂ）３０〜８５重量％の熱伝導性材料と
を含むポリアミド樹脂組成物を含み、重量％は該組成物の総重量を基準とすることを特徴とする発光ダイオードアセンブリの熱伝導性構成部品。
【手続補正２】
【補正対象書類名】明細書
【補正対象項目名】００３３
【補正方法】変更
【補正の内容】
【００３３】
ＬＥＤに関連するか、またはそれに組み入れられる広範囲の様々な構成部品の製造で、溶融加工技術を使用して、本発明の組成物を使用することができる。かかる製品は、他のポリアミド組成物で典型的に使用されるものより高い温度での使用が意図される。特に興味深いことに、熱放散特性が重要なＬＥＤアセンブリに組み入れられる物品へと本発明の組成物を形成することができる。これらの組成物では、高温での特性保持が必須の特性である最終用途での実用性が見出されている。
以下に、本発明の好ましい態様を示す。
［１］  発光ダイオードアセンブリの熱伝導性構成部品であって、該構成部品は、
（ａ）約１５〜約７０重量％の半芳香族ポリアミドと、
（ｂ）約３０〜約８５重量％の熱伝導性材料と
を含むポリアミド樹脂組成物を含み、重量％は該組成物の総重量を基準とすることを特徴とする発光ダイオードアセンブリの熱伝導性構成部品。
［２］  半芳香族ポリアミドが、ヘキサメチレンアジパミド／ヘキサメチレンテレフタルアミドコポリアミド（ポリアミド６，Ｔ／６，６）；ヘキサメチレンテレフタルアミド／２−メチルペンタメチレンテレフタルアミドコポリアミド（ポリアミド６，Ｔ／Ｄ，Ｔ）；ポリ（ドデカメチレンテレフタルアミド）（ポリアミド１２，Ｔ）；ポリ（デカメチレンテレフタルアミド）（ポリアミド１０，Ｔ）；デカメチレンテレフタルアミド／デカメチレンドデカノアミドコポリアミド（１０，Ｔ／１０，１２）；ポリ（ノナメチレンテレフタルアミド）（ポリアミド９，Ｔ）；ヘキサメチレンイソフタルアミドおよびヘキサメチレンアジパミドのポリアミド（ポリアミド６，Ｉ／６，６）；ヘキサメチレンテレフタルアミド、ヘキサメチレンイソフタルアミドおよびヘキサメチレンアジパミドのポリアミド（ポリアミド６，Ｔ／６，Ｉ／６，６）の１つまたは複数であることを特徴とする［１］に記載の構成部品。
［３］  半芳香族ポリアミドが、
（ａ）テレフタル酸、ならびに任意選択的に１つまたは複数の追加の芳香族および／または脂肪族ジカルボン酸を含むジカルボン酸モノマーと、
（ｂ）８〜２０個の炭素原子を有する１つまたは複数の脂肪族ジアミン、および任意選択的に１つまたは複数の追加のジアミンを含むジアミンモノマーと、
（ｃ）任意選択的に１つまたは複数のアミノカルボン酸および／またはラクタムと
から誘導されることを特徴とする［１］に記載の構成部品。
［４］  成分（ｂ）が、１０〜２０個の炭素原子を有する１つまたは複数の脂肪族ジアミン、および任意選択的に１つまたは複数の追加のジアミンであることを特徴とする［３］に記載の構成部品。
［５］  ジカルボン酸モノマーが、約７５〜１００モル％のテレフタル酸を含むことを特徴とする［３］に記載の構成部品。
［６］  ジカルボン酸モノマーが、約８０〜９５モル％のテレフタル酸を含むことを特徴とする［３］に記載の構成部品。
［７］  ジアミンモノマーが、約７５〜１００モル％の、８〜２０個の炭素原子を有する脂肪族ジアミンを含むことを特徴とする［３］に記載の構成部品。
［８］  ジカルボン酸モノマーがテレフタル酸約５０〜１００モル％と、テレフタル酸以外の少なくとも１つの芳香族ジカルボン酸および／または４〜２０個の炭素原子を有する少なくとも１つの脂肪族ジカルボン酸０〜約５０モル％とを含み、
ジアミンモノマーが、１０〜２０個の炭素原子を有する１つまたは複数のジアミン約５０〜１００モル％、１，９−ジアミノノナン以外の４〜９個の炭素原子を有する少なくとも１つの脂肪族ジアミン０〜約５０モル％を含むことを特徴とする［３］に記載の構成部品。
［９］  ハウジング、リフレクター、リフレクターカップおよびスクランブラーよりなる群からさらに選択されることを特徴とする［１］に記載の構成部品。
［１０］  約１０重量％未満の無機充填材をさらに含むことを特徴とする［１］に記載の構成部品。
［１１］  前記充填材が、ガラス繊維およびガラスフレークから選択されることを特徴とする［１０］に記載の構成部品。
［１２］  １つまたは複数の添加剤をさらに含むことを特徴とする［１０］に記載の構成部品。
［１３］  前記１つまたは複数の添加剤が、安定剤、酸化防止剤、潤滑剤、難燃剤および着色剤よりなる群から独立して選択されることを特徴とする［１２］に記載の構成部品。
［１４］  前記熱伝導性材料が、約２５〜約７０重量％の量で組み入れられることを特徴とする［１］に記載の構成部品。
［１５］  前記熱伝導性材料が、約３０〜約５０重量％の量で組み入れられることを特徴とする［１］に記載の構成部品。
［１６］  前記熱伝導性材料が、Ａｌ２Ｏ３、窒化ホウ素、炭化ホウ素、フッ化カルシウムおよび窒化アルミニウムよりなる群から選択されることを特徴とする［１］に記載の構成部品。
［１７］  前記熱伝導性材料が、Ａｌ２Ｏ３、窒化ホウ素、フッ化カルシウムおよび炭化ホウ素よりなる群から選択されることを特徴とする［１６］に記載の構成部品。
【手続補正書】
【提出日】平成21年4月3日(2009.4.3)
【手続補正１】
【補正対象書類名】特許請求の範囲
【補正対象項目名】全文
【補正方法】変更
【補正の内容】
【特許請求の範囲】
【請求項１】
触媒システムを用いる少なくとも1種の共役ジエンモノマーの溶液又はバルクにおける連続式又はバッチ式重合反応を含む、ジエンエラストマーの調製方法であって、前記触媒システムは少なくとも:
-1種の共役ジエン;
-1種以上の希土類金属の1種の有機リン酸塩、前記塩は少なくとも1種の飽和している脂肪族又は脂環式不活性炭化水素に基づく溶媒に懸濁している;
-式AlR3又はHAlR2のアルキルアルミニウムからなる1種のアルキル化剤、式中、Rはアルキル基を表し、Hは水素原子を表す;及び
-ハロゲン化アルキルアルミニウムの群に属するハロゲン供与体、セスキハロゲン化アルキルアルミニウムは除く、
に基づき、前記触媒システムのものと同一でも異なっていてもよい式AlR3又はHAlR2の少なくとも1種のアルキルアルミニウム化合物(式中、Rはアルキル基を表し、Hは水素原子を表す)が、該触媒システムと同時ではなく工業用重合装置に導入されることを特徴とする、方法。
【請求項２】
添加される式AlR3又はHAlR2(R及びHは請求項１と同じ意味を有する)のアルキルアルミニウム化合物の全てが、該触媒システムの導入前に該工業用重合装置に導入される、請求項１記載の方法。
【請求項３】
該重合反応よりも前に、式AlR3又はHAlR2(R及びHは請求項１と同じ意味を有する)のアルキルアルミニウム化合物が、重合されるモノマーと混合される、請求項１又は２記載の方法。
【請求項４】
該重合反応よりも前に、式AlR3又はHAlR2(R及びHは請求項１と同じ意味を有する)のアルキルアルミニウム化合物が、モノマー及び重合溶媒と混合される、請求項１又は２記載の方法。
【請求項５】
アルキルアルミニウム化合物/アルキル化剤のモル比が0よりも大きい、請求項１〜４のいずれか１項に記載の方法。
【請求項６】
重合される前記モノマーと混合される前記アルキルアルミニウム化合物の量が、重合される共役ジエンモノマー100g当たり10〜5,000μmolで変化する、請求項１〜５のいずれか１項に記載の方法。
【請求項７】
前記反応が連続的に行われ、前記アルキルアルミニウム化合物が、重合される前記モノマーと少なくとも1種の重合反応器の上流に配置されているライン注入口で混合される、請求項１〜６のいずれか１項に記載の方法。
【請求項８】
前記触媒システムが、前記希土類金属を0.002mol/L以上の濃度で含む、請求項１〜７のいずれか１項に記載の方法。
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
１つまたは複数のジアミンと、１つまたは複数のジカルボン酸とを重合することによって調製されたポリアミドを含むポリアミド樹脂を含み；（ａ）前記１つまたは複数のジアミンの約５０〜約１００モル％が、１０〜２０個の炭素原子を有する少なくとも１つの脂肪族ジアミンであり、およびさらに前記１つまたは複数のジアミンの約０〜約５０モル％が、１，９−ジアミノノナン以外の４〜９個の炭素原子を有する少なくとも１つの脂肪族ジアミンであり；およびさらに（ｂ）前記１つまたは複数のジカルボン酸の約５０〜約１００モル％がテレフタル酸であり、およびさらに前記１つまたは複数のジカルボン酸の約０〜約５０モル％が、テレフタル酸以外の少なくとも１つの芳香族酸および／または４〜２０個の炭素原子を有する少なくとも１つの脂肪族ジカルボン酸であることを特徴とする発光ダイオードアセンブリの構成部品。
【手続補正２】
【補正対象書類名】明細書
【補正対象項目名】００２０
【補正方法】変更
【補正の内容】
【００２０】
（最終用途）
平滑で光沢のある表面を必要とする他のポリアミド組成物および特に製品で典型的に使用されるものより高い温度に遭遇するＬＥＤアセンブリの広範囲の様々な構成部品の製造で、溶融加工技術を使用して、本発明の組成物を使用することができる。また本発明の組成物をＬＥＤ用途に特有のフィルムおよびシートに形成することができる。高温での特性の保持が必須の特性であるＬＥＤ最終用途で、これらの組成物は実用性を見出される。
以下に、本発明の好ましい態様を示す。
［１］  １つまたは複数のジアミンと、１つまたは複数のジカルボン酸とを重合することによって調製されたポリアミドを含むポリアミド樹脂を含み；（ａ）前記１つまたは複数のジアミンの約５０〜約１００モル％が、１０〜２０個の炭素原子を有する少なくとも１つの脂肪族ジアミンであり、およびさらに前記１つまたは複数のジアミンの約０〜約５０モル％が、１，９−ジアミノノナン以外の４〜９個の炭素原子を有する少なくとも１つの脂肪族ジアミンであり；およびさらに（ｂ）前記１つまたは複数のジカルボン酸の約５０〜約１００モル％がテレフタル酸であり、およびさらに前記１つまたは複数のジカルボン酸の約０〜約５０モル％が、テレフタル酸以外の少なくとも１つの芳香族酸および／または４〜２０個の炭素原子を有する少なくとも１つの脂肪族ジカルボン酸であることを特徴とする発光ダイオードアセンブリの構成部品。
［２］  ハウジング、リフレクター、リフレクターカップおよびスクランブラーよりなる群から選択されることを特徴とする［１］に記載の構成部品。
［３］  約１０重量％未満の無機充填材をさらに含むことを特徴とする［１］に記載の構成部品。
［４］  前記充填材が、ガラス繊維およびガラスフレークから選択されることを特徴とする［３］に記載の構成部品。
［５］  １つまたは複数の添加剤をさらに含むことを特徴とする［３］に記載の構成部品。
［６］  前記１つまたは複数の添加剤が、ＵＶ安定剤および酸化防止剤、潤滑剤、難燃剤および着色剤よりなる群から独立して選択されることを特徴とする［５］に記載の構成部品。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
ヒト患者において気管内、気管支内または肺胞内投与による気道経由による投与により、気道内における、とりわけ肺胞スペースまたは気管支肺胞スペースにおける血管外フィブリン沈着を治療または予防するうえでの唯一の医薬用の医薬の製造のための、ヒト活性化プロテインＣまたはその生物学的に活性な誘導体の使用。
【請求項２】
フィブリン沈着が炎症性肺疾患により引き起こされる、請求項１に記載の使用。
【請求項３】
炎症性肺疾患が、ＡＬＩ、ＡＲＤＳ、肺炎、急性の気管支肺胞疾患、慢性の気管支肺胞疾患、線維化肺胞炎または気管支喘息よりなる群から選ばれる、請求項２に記載の使用。
【請求項４】
炎症性肺疾患が、直接または間接の肺外傷、膵炎、吸引肺炎、敗血症、重篤な敗血症および／または敗血性ショックよりなる群から選ばれた状態に関係する、請求項１ないし３のいずれかに記載の使用。
【請求項５】
活性化プロテインＣが、活性化プロテインＣの溶液を用いた気管支肺胞洗浄により投与される、請求項１ないし４のいずれかに記載の使用。
【請求項６】
活性化プロテインＣが、活性化プロテインＣの溶液を用いたブラインド気管支洗浄により投与される、請求項１ないし５のいずれかに記載の使用。
【請求項７】
活性化プロテインＣが、活性化プロテインＣの噴霧溶液の吸入を引き起こすことにより投与される、請求項１ないし６のいずれかに記載の使用。
【請求項８】
活性化プロテインＣが、吸入粉末の形態の活性化プロテインＣの吸入を引き起こすことにより投与される、請求項１ないし７のいずれかに記載の使用。
【請求項９】
活性化プロテインＣが、気管支鏡検査の際に活性化プロテインＣの直接投与により投与される、請求項１ないし８のいずれかに記載の使用。
【請求項１０】
ヒトが成人である、請求項１ないし９のいずれかに記載の使用。
【請求項１１】
ヒトが子供である、請求項１ないし９のいずれかに記載の使用。
【請求項１２】
ＡＰＣが、１日当たり０.１μｇ／ｋｇ体重〜約１０ｍｇ／ｋｇ体重の量で投与される、請求項１ないし１１のいずれかに記載の使用。
【請求項１３】
炎症性肺疾患が、ＡＬＩまたはＡＲＤＳから選ばれる、請求項３に記載の使用。
【手続補正書】
【提出日】平成21年6月4日(2009.6.4)
【手続補正１】
【補正対象書類名】特許請求の範囲
【補正対象項目名】全文
【補正方法】変更
【補正の内容】
【特許請求の範囲】
【請求項１】
天然の配列に対して少なくとも１つの更なるアルギニン残基を１６、１７、１９、４１、５８、５９、６０、６８、７６、１４０、１４２、１４７、３６３、４０６又は４５２の位置の少なくとも１つに有し、かつ、かつリウマチに関連した自己抗体に対する反応性を示すことを特徴とする、ＳＥＱ  ＩＤ  ＮＯ：１を有する天然のビメンチンから誘導されたポリペプチド。
【請求項２】
前記の位置の少なくとも２つに更なるアルギニン残基を有することを特徴とする、請求項１記載のポリペプチド。
【請求項３】
天然の配列に対して、３、２０、３３、３６、３７、９４、１６５、３６１、３９９又は４２６の位置の少なくとも１つに更なるロイシン残基を有し、有利には前記の位置の少なくとも２つに更なるロイシン残基を有することを特徴とする、請求項１記載のポリペプチド。
【請求項４】
天然の配列に対して、２１、４１、４３、５０、５４、６２、６４又は８９の位置の少なくとも１つに更なるプロリン残基を有し、有利には前記の位置の少なくとも２つに更なるプロリン残基を有することを特徴とする、請求項１記載のポリペプチド。
【請求項５】
天然の配列に対して、２４、３５又は９９の位置の少なくとも１つに更なるトレオニン残基を有し、有利には前記の位置の少なくとも２つに更なるトレオニン残基を有することを特徴とする、請求項１記載のポリペプチド。
【請求項６】
天然の配列に対して、２５、３９、４２、４９、５５又は６７の位置の少なくとも１つに更なるチロシン残基を有し、有利には前記の位置の少なくとも２つに更なるチロシン残基を有することを特徴とする、請求項１記載のポリペプチド。
【請求項７】
少なくとも１つのアルギニン残基が、シトルリン残基として存在し、有利には４、１２、２３、２８、３６、４５、５０、６４、７１、１００、３２０、３６４又は３７８の位置の少なくとも１つにシトルリン残基を有し、更に有利には前記の位置の少なくとも２つにシトルリン残基を有することを特徴とする、請求項１記載のポリペプチド。
【請求項８】
ＳＥＱ  ＩＤ  ＮＯ：１を有する天然のビメンチンから誘導された、少なくとも６アミノ酸からなる断片であって、少なくとも１つの更なるアルギニン残基を有する少なくとも１の領域を含有し、かつリウマチに関連した自己抗体に対する反応性を示すことを特徴とする、ＳＥＱ  ＩＤ  ＮＯ：１を有する天然のビメンチンから誘導された、少なくとも６アミノ酸からなる断片。
【請求項９】
有利にはレトロ−又は／及びインベルソポリペプチド及び環式ペプチドから選択されていることを特徴とする、請求項１から８までのいずれか１項記載のポリペプチド又は断片のペプチド誘導体。
【請求項１０】
請求項１から９までのいずれか１項において定義された、ポリペプチド、断片又はペプチド誘導体を含有することを特徴とする、診断薬。
【請求項１１】
請求項１０に定義された診断薬を含有し、有利には関節リウマチの検出のために使用され、更に有利にはキャリアが、ＤＮＡ、ＲＮＡ、医薬的に認容性のポリマー、合成生体高分子又はタンパク質であることを特徴とする、リウマチ疾患の検出のための使用のための診断キット。
【請求項１２】
自己抗体の濃度を体液中で決定し、かつ場合により、疾病の診断、分類化及び重症度の評価に用いる、リウマチ疾患のｉｎ  ｖｉｔｒｏ検出のための方法であって、請求項１０で定義した診断薬又は請求項１１で定義した診断キットを使用することを特徴とする、方法。
【請求項１３】
関節リウマチの検出のために使用することを特徴とする、請求項１２記載の方法。
【請求項１４】
請求項１から９までのいずれか１項において定義されたポリペプチド、断片又はペプチド誘導体を含有することを特徴とする、医薬品。
【請求項１５】
請求項１から９までのいずれか１項において定義されたポリペプチド、断片又はペプチド誘導体の、リウマチ疾患、有利には関節リウマチの予防及び／又は治療のための医薬品の製造のための使用。
【請求項１６】
抗体又は／及び抗原により駆動される炎症反応に対する遮断性の天然物質及び／又は化学物質の検出のための、請求項１から９までのいずれか１項において定義されたポリペプチド、断片又はペプチド誘導体の使用。
【請求項１７】
エピガロカテキンガレート（ＥＧＣＧ）と組み合わせた、請求項１５記載の使用。
【請求項１８】
緑茶からの抽出物、有利には有機抽出物又は有機−水性抽出物又はこのような抽出物から得られる生成物と組み合わせた、更に有利には前記抽出物が作用物質としてエピガロカテキンガレート（ＥＧＣＧ）を含有する、請求項１５記載の使用。
【手続補正書】
【提出日】平成21年6月8日(2009.6.8)
【手続補正１】
【補正対象書類名】明細書
【補正対象項目名】００５０
【補正方法】変更
【補正の内容】
【００５０】
好適な（Ｃ5−Ｃ10）ヘテロシクリル基としては、アクリジニル、アゾシニル、ベンゾイミダゾリル、ベンゾフリル、ベンゾモルホリニル、ベンゾチエニル、ベンゾチオフェニル、ベンゾオキサゾリル、ベンゾチアゾリル、ベンゾトリアゾリル、ベンゾテトラゾリル、ベンゾイソオキサゾリル、ベンゾイソチアゾリル、カルバゾリル、４ａＨ−カルバゾリル、カルボリニル、フラニル、キナゾリニル、キノリニル、４Ｈ−キノリジニル、キノキサリニル、キヌクリジニル、クロマニル、クロメニル、クロメン−２−オンイル、シンノリニル、デカヒドロキノリニル、２Ｈ,６Ｈ−１,５,２−ジチアジニル、ジヒドロフロ［２,３−ｂ］−テトラヒドロフラン、フリル、フラザニル、ホモモルホリニル、ホモピペラジニル、イミダゾリジニル、イミダゾリニル、イミダゾリル、１Ｈ−インダゾリル、インドリニル、インドリジニル、インドリル、３Ｈ−インドリル、イソベンゾフラニル、イソクロマニル、イソインダゾリル、イソインドリニル、イソインドリル、イソキノリニル（ベンゾイミダジリル）、イソチアゾリル、イソオキサゾリル、モルホリニル、ナフチリジニル、オクタヒドロイソキノリニル、オキサジアゾリル、１,２,３−オキサジアゾリル、１,２,４−オキサジアゾリル、１,２,５−オキサジアゾリル、１,３,４−オキサジアゾリル、オキサゾリジニル、オキサゾリル、ピリミジニル、フェナントリジニル、フェナントロリニル、フェナジニル、フェノチアジニル、フェノキサチイニル、フェノキサジニル、フタラジニル、ピペラジニル、ピペリジニル、プロリニル、プテリジニル、プリニル、ピラニル、ピラジニル、ピラゾリジニル、ピラゾリニル、ピラゾリル、ピリダジニル、ピリドニル、ピリドオキサゾール、ピリドイミダゾール、ピリドチアゾール、ピリジニル、ピリジル、ピリミジニル、ピロリジニル、ピロリニル、２Ｈ−ピロリル、ピロリル、テトラヒドロフラニル、テトラヒドロイソキノリニル、テトラヒドロキノリニル、６Ｈ−１,２,５−チアジアジニル、チアゾリル、１,２,３−チアジアゾリル、１,２,４−チアジアゾリル、１,２,５−チアジアゾリル、１,３,４−チアジアゾリル、チエニル、トリアゾリル、テトラゾリル及びキサンテニルが挙げられる。ピリジルは、２−、３−及び４−ピリジルを表す。チエニルは、２−及び３−チエニルを表す。フリルは、２−及び３−フリルを表す。また、これらの化合物の対応するＮ−オキシド、例えば、１−オキシ−２−、  ３−、又は４−ピリジルも含まれる。
【手続補正２】
【補正対象書類名】明細書
【補正対象項目名】００７０
【補正方法】変更
【補正の内容】
【００７０】
ＬＣＭＳ法
方法＃１
カラム：YMC J'shere：３３×２：４μｍ；
グラジェント（ＡｃＮ＋０.０５％ＴＦＡ）：Ｈ2Ｏ＋０.０５％ＴＦＡ；５：９５（０ｍｉｎ）〜９５：５（２.５ｍｉｎ）〜９５：５（３ｍｉｎ）。
方法＃２
カラム：YMC J'shere：３３×２：４μｍ；
グラジェント（ＡｃＮ＋０.０５％ＴＦＡ）：Ｈ2Ｏ＋０.０５％ＴＦＡ；５：９５（０ｍｉｎ）〜９５：５（３.４ｍｉｎ）〜９５：５（４.４ｍｉｎ）。
方法＃３
カラム：YMC J'shere：３３×２：４μｍ；
グラジェント（ＡｃＮ＋０.０８％ＴＦＡ）：Ｈ2Ｏ＋０.１％ＴＦＡ；５：９５（０ｍｉｎ）〜９５：５（２.５ｍｉｎ）〜９５：５（３ｍｉｎ）。
方法＃トップ
カラム：YMC J'sphere ODS H80：２０×２：１４μ；
グラジェント；０ｍｉｎ；９６％Ｈ2Ｏ（０.０５％ＴＦＡ）２.０ｍｉｎ−９５％ＡＣＮ；９５％ＡＣＮ：２.４ｍｉｎまで；４％ＡＣＮ：２.４５ｍｉｎ。
【手続補正３】
【補正対象書類名】明細書
【補正対象項目名】０１７５
【補正方法】変更
【補正の内容】
【０１７５】
６−（ピペリジン−４−イルオキシ）−イソキノリン塩酸塩（１２４）
【化６４】
2008543956.tif 000001
４−（イソキノリン−６−イルオキシ）−ピペリジン−１−カルボン酸ｔｅｒｔ−ブチルエステル（１５４）を、ＡＡＶ２に記載した一般的手順により脱保護し、標題の化合物を、ＨＣｌ塩として得た。
Ｒt＝０.２０ｍｉｎ（方法＃２）；検出質量：２２９.１（Ｍ＋Ｈ+）。
以下の実施例化合物を、この方法に従って合成した。
【手続補正書】
【提出日】平成20年12月1日(2008.12.1)
【手続補正１】
【補正対象書類名】特許請求の範囲
【補正対象項目名】全文
【補正方法】変更
【補正の内容】
【特許請求の範囲】
【請求項１】
（ａ）縮合反応：
２５〜４５℃の初期温度下において、１５〜５０％（ｗ／ｖ）のアルカリ溶液および６０〜９９％（ｗ／ｖ）のアセトアルデヒド溶液を１０〜２５％（ｗ／ｖ）のホルムアルデヒド水溶液に撹拌しながら加えて、ホルムアルデヒド：アセトアルデヒド：アルカリ＝４.２〜１０.２：１：１.０５〜１.２５（モル）の溶液を得て；
反応最終温度を４５〜７０℃の間に、反応圧力を０〜０.２ＭＰａに制御して、３０〜１００分間反応させ；
反応後、ギ酸を用いてｐＨ＝５.５〜６.５となるまで前記溶液を中和して、反応溶液を得るステップと、
（ｂ）モノペンタエリトリトールの分離：
脱アルデヒドおよび脱アルコールの後、前記反応溶液をペンタエリトリトール洗浄水と混合し、比重１.２５〜１.２８となるまで濃縮し、結晶化および遠心分離を行って９０〜９５％のペンタエリトリトール粗生成物を得て；
遠心分離後の母液は次回の分離プロセスに用い；
前記ペンタエリトリトール粗生成物に水を加え、加熱してペンタエリトリトール粗生成物を溶解させ、再結晶化、遠心分離および乾燥を行ってモノペンタエリトリトールを得るステップと、
を有する、ペンタエリトリトールの製造方法。
【請求項２】
モノペンタエリトリトールの分離の後に、
（ｃ）ジペンタエリトリトールの分離：
モノペンタエリトリトールの分離後の前記母液を沈降させて前記母液の上澄みをろ過し；
ろ液は以下の分離プロセスに回し；
残渣に水を加え、加熱して残渣を溶解させ、再結晶化、遠心分離および乾燥を行ってジペンタエリトリトールを得るステップと、
（ｄ）ギ酸ナトリウムの分離：
温度を８５〜１１０℃の状態に維持して、ペンタエリトリトールをろ過分離した後の母液を蒸発濃縮させ、比重が１.３に達したときに遠心分離を行ってギ酸ナトリウムを得るステップと、
を有する、請求項１に記載の製造方法。
【請求項３】
ステップ（ａ）において、前記アルカリ溶液は３０〜５０％のＮａＯＨ溶液である、請求項１または請求項２に記載の製造方法。
【請求項４】
ステップ（ａ）において、前記アルカリ溶液を前記アセトアルデヒド溶液よりも２〜１０分早く加えるとともに、コイル、ジャケット、熱交換器により反応熱を除去する、請求項１または請求項２に記載の製造方法。
【請求項５】
ステップ（ｄ）において得られる前記ギ酸ナトリウム母液を水で希釈した後、希釈後の母液を９０〜１００℃まで加熱して溶解させ、再結晶化を行ってその中のペンタエリトリトールを回収し、
これによって得られる母液をギ酸ナトリウムを回収するためにさらなるステップ（ｄ）に付す、請求項２に記載の製造方法。
【請求項６】
ステップ（ａ）おいて、ホルムアルデヒド、アセトアルデヒド、アルカリのモル比は、ホルムアルデヒド：アセトアルデヒド：アルカリ＝６.５〜７.８：１：１.１５〜１.２である、請求項１または請求項２に記載の製造方法。
【請求項７】
初期反応温度は３０〜４０℃、最終反応温度は５５〜６０℃である、請求項１または請求項２に記載の製造方法。
【手続補正書】
【提出日】平成21年5月21日(2009.5.21)
【手続補正１】
【補正対象書類名】特許請求の範囲
【補正対象項目名】全文
【補正方法】変更
【補正の内容】
【特許請求の範囲】
【請求項１】
少なくとも以下の式Ｉ
【化１】
2008543901.tif 000001
［式中、Ｒ３はＣ１−６−アルキルオキシ、Ｃ１−６−アシルオキシもしくはアロイルオキシであり；
Ｒ６は水素もしくはＣ１−６−アルキルオキシであり；
Ｒ７はＣ１−６−アルキルオキシ、Ｃ１−６−アシルオキシ、アロイルオキシもしくはアリールアシルオキシであり；
Ｒ８は水素またはＣ１−６−アルキルオキシであるか；
またはＲ７およびＲ８は共にＯ−Ｌ−Ｏ基を形成し、Ｌは（ＣＲ１Ｒ２）ｎであり、Ｒ１およびＲ２は相互に独立して、水素もしくはＣ１−５−アルキルであり、およびｎは１〜３の整数であり；
Ｒ１０は水素もしくはＮ−Ｃ１−４−アシル，Ｎ−Ｃ１−５−アルキル−ｘ−Ｃｘ−アルキルであり、ｘは１〜５の整数である］
の化合物を含有する食物組成物であって、
但し、組成物は、式Ｉ［式中、Ｒ６およびＲ１０が水素であり、Ｒ７およびＲ８がメトキシである場合、Ｒ３がメトキシである］の化合物を含有しないことを条件とする食物組成物。
【請求項２】
Ｒ３はメトキシ、イソプロピルオキシ、イソプレニルオキシ、アセチルオキシ、もしくはベンゾイルオキシであり、好ましくは、Ｒ３はメトキシもしくはベンゾイルオキシであり；および／または
Ｒ６は水素、メトキシ、イソプロピルオキシもしくはイソプレニルオキシであり、好ましくは、Ｒ６は水素もしくはメトキシであり；および／または
Ｒ７はメトキシ、イソプロピルオキシ、イソプレニルオキシ、アセチルオキシ、ベンゾイルオキシ、（３，４，５−トリメトキシ）ベンゾイルオキシもしくはシンナモイルオキシであり、好ましくは、Ｒ７はメトキシもしくはシンナモイルオキシであり；および／または
Ｒ８は水素、メトキシ、イソプロピルオキシもしくはイソプレニルオキシであり、好ましくは、Ｒ８は水素もしくはメトキシであり；または
Ｒ７およびＲ８は共にＯ（−ＣＨ２）ｍ−Ｏ基を形成し、ｍは１もしくは２であり、好ましくは、Ｒ７およびＲ８は共にＯ−ＣＨ２−Ｏ基を形成し；および／または
Ｒ１０は水素、Ｎ−アセチル，Ｎ−イソプロピル−２−アミノエチル、Ｎ−イソプレニル−２−アミノエチルもしくはＮ−アセチル，Ｎ−メチル−２−アミノエチルであり、好ましくは、Ｒ１０は水素もしくはＮ−アセチル，Ｎ−メチル−２−アミノエチルであり、但し、Ｒ６およびＲ１０が水素であり、Ｒ７およびＲ８がメトキシである場合、Ｒ３はメトキシでないことを条件とする、
請求項１に記載の食物組成物。
【請求項３】
式Ｉの化合物は、式Ｉ−１〜Ｉ−３の化合物からなる群から選択され、ここで、式Ｉ−１の化合物は、式中、Ｒ３＝Ｒ６＝ＯＣＨ３であり、Ｒ７およびＲ８は共にＯ−ＣＨ２−Ｏ基を形成し、Ｒ１０＝Ｎ−アセチル，Ｎ−メチル−２−アミノエチルであるものであり；式Ｉ−２の化合物は、式中、Ｒ３＝ＯＣＨ３、Ｒ６＝Ｒ８＝Ｒ１０＝Ｈ、およびＲ７＝シンナモイルオキシであるものであり；式Ｉ−３の化合物は、式中、Ｒ３＝ベンゾイルオキシ、Ｒ６＝Ｒ１０＝Ｈ、およびＲ７＝Ｒ８＝ＯＣＨ３であるものであり；ならびに式Ｉ−４の化合物は、式中、Ｒ３＝ＯＣＨ３、Ｒ６＝Ｒ８＝Ｒ１０＝Ｈ、およびＲ７＝（３，４，５−トリメトキシ）ベンゾイルオキシであるものである、請求項１に記載の食物組成物。
【請求項４】
前記食物組成物は、（強化された）食物、飲料、（強化された）飼料もしくは対応する添加物、機能性食物、機能性飼料、ニュートラシューティカル、臨床栄養物または栄養補助食品である、請求項１〜３のいずれか一項に記載の食物組成物。
【請求項５】
グルコース代謝障害およびインスリン作用障害に関係する障害の処置のための組成物の製造のための請求項１〜３のいずれか一項に記載の式Ｉの化合物の使用。
【請求項６】
前記組成物は、血中グルコース制御剤、インスリン抵抗性改善薬、血中脂質降下剤、膵β細胞機能改善薬、２型糖尿病防止剤および／またはＸ症候群防止剤として使用される、請求項５に記載の使用。
【請求項７】
グルコース代謝障害およびインスリン作用障害に関係する前記障害は、糖尿病またはＸ症候群、特に、非自己免疫性２型糖尿病である、請求項５に記載の使用。
【請求項８】
式Ｉ
【化２】
2008543901.tif 000002
［式中、Ｒ３はメトキシもしくはベンゾイルオキシであり、
Ｒ６は水素もしくはメトキシであり、
Ｒ７はメトキシもしくは（３，４，５−トリメトキシ）ベンゾイルオキシもしくはシンナモイルオキシであり、
Ｒ８は水素もしくはメトキシであり、
またはＲ７およびＲ８は共にＯ（−ＣＨ２）ｍ−Ｏ基を形成し、ｍは１もしくは２であり、ならびに
Ｒ１０は水素もしくはＮ−アセチル，Ｎ−メチル−２−アミノエチルであり、但し、Ｒ６およびＲ１０が水素であり、Ｒ７およびＲ８がメトキシである場合、Ｒ３はメトキシでないことを条件とする］
の化合物。
【請求項９】
Ｒ３およびＲ６は、両方ともＯＣＨ３であり、Ｒ７およびＲ８は共にＯ−ＣＨ２−Ｏ基を形成し、Ｒ１０はＮ−アセチル，Ｎ−メチル−２−アミノエチルである、請求項８に記載の式Ｉの化合物。
【請求項１０】
グルコース代謝障害およびインスリン作用障害に関係する障害の処置のための医薬品としての使用のための式Ｉ
【化３】
2008543901.tif 000003
［式中、Ｒ３はＣ１−６−アルキルオキシ、Ｃ１−６−アシルオキシもしくはアロイルオキシであり；
Ｒ６は水素もしくはＣ１−６−アルキルオキシであり；
Ｒ７はＣ１−６−アルキルオキシ、Ｃ１−６−アシルオキシ、アロイルオキシもしくはアリールアシルオキシであり；
Ｒ８は水素もしくはＣ１−６−アルキルオキシであり；
またはＲ７およびＲ８は共にＯ−Ｌ−Ｏ基を形成し、Ｌは（ＣＲ１Ｒ２）ｎであり、Ｒ１およびＲ２は相互に独立して、水素もしくはＣ１−５−アルキルであり、およびｎは１〜３の整数であり；
Ｒ１０は水素もしくはＮ−Ｃ１−４−アシル，Ｎ−Ｃ１−５−アルキル−ｘ−Ｃｘ−アルキルであり、ｘは１〜５の整数であり；但し、Ｒ６およびＲ１０が水素であり、Ｒ７およびＲ８がメトキシである場合、Ｒ３はメトキシでないことを条件とする］
の化合物。
【請求項１１】
血中グルコース制御剤、インスリン抵抗性改善薬、血中脂質降下剤、膵β細胞機能改善薬、（非自己免疫性）２型糖尿病防止剤および／またはＸ症候群防止剤としての請求項１０に記載の使用のための請求項１〜１０のいずれか一項に記載の式Ｉの化合物。
【請求項１２】
請求項１〜３のいずれか一項に記載の少なくとも１つの式Ｉの化合物および従来の薬学的キャリアを含有する薬学的組成物。
【請求項１３】
式Ｉの化合物は、式Ｉ−１〜Ｉ−４の化合物、特に、請求項３に記載の式Ｉ−１〜Ｉ−３の化合物からなる群から選択される、請求項１２に記載の薬学的組成物。
【請求項１４】
医薬品としての使用のための請求項３に記載の式Ｉ−１、Ｉ−２、Ｉ−３およびＩ−４の化合物。
【請求項１５】
医薬品としての使用のための請求項８に記載の式Ｉの化合物。
【手続補正書】
【提出日】平成21年6月18日(2009.6.18)
【手続補正１】
【補正対象書類名】特許請求の範囲
【補正対象項目名】全文
【補正方法】変更
【補正の内容】
【特許請求の範囲】
【請求項１】
患者における下肢の潰瘍を予防または処置するための組み合わせであって：
局所投与のためのプロアントシアニジンを含む第１の組成物の有効量；および
経口投与のためのプロアントシアニジンを含む第２の組成物の有効量を含み、ここで、該組み合わせは該患者に投与され、それにより該下肢の潰瘍が予防または処置される、組み合わせ。
【請求項２】
前記第１の組成物が、粉末、ゲル、クリーム、ローション、水性アルコール溶液、懸濁物、または半固体からなる群から選択される局所形態である、請求項１に記載の組み合わせ。
【請求項３】
前記第２の組成物が、丸剤、ドリンク、粉末、食品添加物、粉末、カプセル、時間放出カプセルからなる群から選択される経口形態である、請求項１に記載の組み合わせ。
【請求項４】
前記プロアントシアニジンが、１０％〜１００％のプロアントシアニジンを含むプロアントシアニジン豊富植物抽出物である、請求項１に記載の組み合わせ。
【請求項５】
前記局所的組成物が、防腐剤、抗炎症剤、鎮痛剤、創傷治療剤またはそれらの組み合わせをさらに含む、請求項１に記載の組み合わせ。
【請求項６】
約２０ｍｇ〜約１０ｍｇ／患者／日のプロアントシアニジンが局所的に投与される、請求項１に記載の組み合わせ。
【請求項７】
約２０ｍｇ〜約１０ｍｇ／患者／日のプロアントシアニジンが経口的に投与される、請求項１に記載の組み合わせ。
【請求項８】
前記投与が、処置期間の経過に亘って各日に周期的な基盤で付与される、請求項１に記載の組み合わせ。
【請求項９】
前記投与する工程が、少なくとも３０日、少なくとも４２日、少なくとも６０日、少なくとも９０日または少なくとも１２０日の期間の間、毎日、前記プロアントシアニジンを投与することを含む、請求項１に記載の組み合わせ。
【請求項１０】
前記プロアントシアニジンが、植物材料からの抽出物として提供される、請求項１に記載の組み合わせ。
【請求項１１】
前記プロアントシアニジンが、マツ樹皮から抽出される、請求項１０に記載の組み合わせ。
【請求項１２】
前記マツ樹皮が、Ｐｉｎｕｓ  ｐｉｎａｓｔｅｒ（海岸松）からである、請求項１１に記載の組み合わせ。